(57)【要約】【課題】日付に応じて業務データを提供することが可能なサーバ、データ管理方法、および表示制御方法を提供する。【解決手段】ユーザの業務データに日付情報を対応付けてデータベースに格納する管理部と、ユーザ端末から検索要求される日付情報を含む日付情報が対応付けられている業務データを前記データベースから検索する検索部と、前記検索部により検索した業務データの一覧を、要求元の前記ユーザ端末に送信する送信部と、を備えるサーバ。【選択図】図１
2013200742.tif 000002
【特許請求の範囲】
【請求項１】
ユーザの業務データに日付情報を対応付けてデータベースに格納する管理部と、
ユーザ端末から検索要求される日付情報を含む日付情報が対応付けられている業務データを前記データベースから検索する検索部と、
前記検索部により検索した業務データの一覧を、要求元の前記ユーザ端末に送信する送信部と、
を備えるサーバ。
【請求項２】
前記ユーザ端末から要求される日付情報は、現在、未来、または過去の日付である、請求項１に記載のサーバ。
【請求項３】
前記管理部は、前記業務データから日付情報を抽出し、抽出した日付情報を前記業務データに対応付ける、請求項１または２に記載のサーバ。
【請求項４】
前記管理部は、辞書データベースに登録されたキーワードと一致するキーワードを前記業務データから抽出し、抽出したキーワードを前記業務データに対応付ける、請求項１から３のいずれか１項に記載のサーバ。
【請求項５】
前記管理部は、前記業務データに含まれるキーワードまたは日付情報に、検索結果の業務データ一覧を表示する画面へのリンク付けを行う、請求項１から４のいずれか１項に記載のサーバ。
【請求項６】
前記管理部は、前記業務データに含まれる電話番号、メールアドレス、位置表現、またはＵＲＬに、専用アプリケーションによる表示画面へのリンク付けを行う、請求項１から４のいずれか１項に記載のサーバ。
【請求項７】
前記管理部は、ユーザにより入力された日付情報を前記業務データに対応付ける、請求項１から６のいずれか１項に記載のサーバ。
【請求項８】
前記データベースに格納される業務データには、キーワードが対応付けられ、
前記検索部は、前記ユーザ端末から検索要求されたキーワードを含むキーワードが対応付けられた業務データを検索する、請求項１から７のいずれか１項に記載のサーバ。
【請求項９】
前記データベースは、ユーザ毎に前記業務データを格納し、
前記検索部は、ユーザの業務データ、および前記ユーザによるアクセスが許可されている他ユーザの業務データから、検索要求に応じた業務データを検索する、請求項１から８のいずれか１項に記載のサーバ。
【請求項１０】
ユーザの業務データに日付情報を対応付けてデータベースに格納するステップと、
ユーザ端末から検索要求される日付情報を含む日付情報が対応付けられている業務データを前記データベースから検索するステップと、
前記検索するステップにより検索した業務データの一覧を、要求元の前記ユーザ端末に送信するステップと、
を含むデータ管理方法。
【請求項１１】
ユーザの業務データに日付情報を対応付けてデータベースに格納するサーバがユーザ端末から要求された日付情報に基づいて検索した業務データの一覧を表示するステップを含む、表示制御方法。
【請求項１２】
前記表示制御方法は、
前記業務データの一覧表示画面に対するフリック操作に応じて、前記サーバが過去または未来の日付情報に基づいて検索した業務データの一覧を表示するステップを含む、請求項１１に記載の表示制御方法。
【請求項１３】
前記表示制御方法は、
前記業務データの一覧のうちユーザに指定された業務データを表示するステップと、
前記表示した業務データ中のリンク付けされた日付情報またはキーワードが指定されると、指定された日付情報またはキーワードに応じて前記サーバにより検索された業務データの一覧を表示するステップと、
を含む、請求項１１または１２に記載の表示制御方法。
【発明の詳細な説明】
【技術分野】
【０００１】
本発明は、サーバ、データ管理方法、および表示制御方法に関する。
【背景技術】
【０００２】
近年、モバイル端末が急速に普及し、営業先や出張先等においてモバイル端末を利用する場面が増えている。近年普及しているモバイル端末は、例えばノートＰＣ（パーソナルコンピュータ）、ＰＤＡ（Ｐｅｒｓｏｎａｌ  Ｄｉｇｉｔａｌ  Ａｓｓｉｓｔａｎｃｅ）、タブレット端末、スマートフォン、携帯電話等が挙げられる。特にスマートフォンの出荷台数は年々増加しており、個人利用に留まらず、法人でも業務用に利用され始めている。
【０００３】
業務用の利用としては、例えば訪問先や訪問先へ向かう途中での提案資料の確認、営業報告書の作成、スケジュール管理、業務用のデータ管理等にスマートフォンが利用されることが想定される。
【０００４】
ここで、スケジュール管理に関する技術として下記特許文献１、２が提案されている。具体的には、特許文献１では、利用者が予め予約情報をメッセージ通知サーバに登録し、メッセージ通知サーバが、指定された日時に利用者の携帯電話に電子メールを送信する技術が提案されている。
【０００５】
また、特許文献２では、スケジュール管理ファイルを有するデータ処理装置が、利用者による確認モードの選択に応じてスケジュール管理ファイルを検索し、本日実行すべきデータ処理業務のアイコンをディスプレイに表示させる技術が提案されている。
【０００６】
さらに、業務用のデータ管理としては、下記特許文献３において、ファイルの格納場所（ファイル名および内容に基づく格納先振り分け）の統一化を図り、格納した情報を自動でデータベース化する技術が提案されている。
【先行技術文献】
【非特許文献】
【０００７】
【特許文献１】特開２００９−２１７６３８号公報
【特許文献２】特開平１０−６９５７８号公報
【特許文献３】特開２００４−１９２２１２号公報
【発明の概要】
【発明が解決しようとする課題】
【０００８】
しかしながら、法人の業務利用にスマートフォンに代表されるモバイル端末の導入を考える場合、システム再構築のためのコストや手間、また、社内ネットワークに外部（モバイル端末）からのアクセスを許可すること等によるセキュリティ問題が懸念される。なお、上述した各特許文献では、モバイル端末に電子化された文書や資料、図、画像、動画などの業務データを提供するシステムについては何ら考慮されていない。
【０００９】
また、利用者が外出先で業務データを閲覧する場合、必要なデータが格納されているディレクトリを探すために煩雑な操作が必要となり、時間がかかってしまうという問題も懸念される。
【００１０】
そこで、本発明は、上記問題に鑑みてなされたものであり、本発明の目的とするところは、日付に応じて業務データを提供することが可能な、新規かつ改良されたサーバ、データ管理方法、および表示制御方法を提供することにある。
【課題を解決するための手段】
【００１１】
上記課題を解決するために、本発明のある観点によれば、ユーザの業務データに日付情報を対応付けてデータベースに格納する管理部と、ユーザ端末から検索要求される日付情報を含む日付情報が対応付けられている業務データを前記データベースから検索する検索部と、前記検索部により検索した業務データの一覧を、要求元の前記ユーザ端末に送信する送信部と、を備えるサーバが提供される。
【００１２】
また、前記ユーザ端末から要求される日付情報は、現在、未来、または過去の日付であってもよい。
【００１３】
また、前記管理部は、前記業務データから日付情報を抽出し、抽出した日付情報を前記業務データに対応付けてもよい。
【００１４】
また、前記管理部は、辞書データベースに登録されたキーワードと一致するキーワードを前記業務データから抽出し、抽出したキーワードを前記業務データに対応付けてもよい。
【００１５】
また、前記管理部は、前記業務データに含まれるキーワードまたは日付情報に、検索結果の業務データ一覧を表示する画面へのリンク付けを行ってもよい。
【００１６】
また、前記管理部は、前記業務データに含まれる電話番号、メールアドレス、位置表現、またはＵＲＬに、専用アプリケーションによる表示画面へのリンク付けを行ってもよい。
【００１７】
また、前記管理部は、ユーザにより入力された日付情報を前記業務データに対応付けてもよい。
【００１８】
また、前記データベースに格納される業務データには、キーワードが対応付けられ、前記検索部は、前記ユーザ端末から検索要求されたキーワードを含むキーワードが対応付けられた業務データを検索してもよい。
【００１９】
また、前記データベースは、ユーザ毎に前記業務データを格納し、前記検索部は、ユーザの業務データ、および前記ユーザによるアクセスが許可されている他ユーザの業務データから、検索要求に応じた業務データを検索してもよい。
【００２０】
また、上記課題を解決するために、本発明の別の観点によれば、ユーザの業務データに日付情報を対応付けてデータベースに格納するステップと、ユーザ端末から検索要求される日付情報を含む日付情報が対応付けられている業務データを前記データベースから検索するステップと、前記検索するステップにより検索した業務データの一覧を、要求元の前記ユーザ端末に送信するステップと、を含むデータ管理方法が提供される。
【００２１】
また、上記課題を解決するために、本発明の別の観点によれば、ユーザの業務データに日付情報を対応付けてデータベースに格納するサーバがユーザ端末から要求された日付情報に基づいて検索した業務データの一覧を表示するステップを含む表示制御方法が提供される。
【００２２】
また、前記表示制御方法は、前記業務データの一覧表示画面に対するフリック操作に応じて、前記サーバが過去または未来の日付情報に基づいて検索した業務データの一覧を表示するステップを含んでもよい。
【００２３】
また、前記表示制御方法は、前記業務データの一覧のうちユーザに指定された業務データを表示するステップと、前記表示した業務データ中のリンク付けされた日付情報またはキーワードが指定されると、指定された日付情報またはキーワードに応じて前記サーバにより検索された業務データの一覧を表示するステップと、を含んでもよい。
【発明の効果】
【００２４】
以上説明したように本発明によれば、日付に応じて業務データを提供することが可能である。
【図面の簡単な説明】
【００２５】
【図１】本発明の一実施形態による業務データ閲覧システムの全体構成を示す図である。
【図２】本実施形態による管理サーバの構成を示すブロック図である。
【図３】本実施形態による管理部によるタグの抽出について説明するための図である。
【図４】本実施形態による管理部によるリンク付けについて説明するための図である。
【図５】本実施形態による業務データの一例を示す図である。
【図６】本実施形態によるクライアント端末の構成を示すブロック図である。
【図７】本実施形態による動作処理を示すフローチャートである。
【図８】本実施形態による操作画面の一例を示す図である。
【図９】業務データから抽出されたタグの確認を行う場合について説明するための図である。
【図１０】クライアント端末で表示される業務データ一覧の表示例を示す図である。
【図１１】本実施形態による操作例を説明するための図である。
【図１２】フリック操作による日付条件の変更操作の一例を説明するための図である。
【図１３】本実施形態による業務データ一覧画面の一例を示す図である。
【発明を実施するための形態】
【００２６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２７】
＜１．業務データ閲覧システムの概要＞
図１は、本発明の一実施形態による業務データ閲覧システムの全体構成を示す図である。図１に示すように、本実施形態による業務データ閲覧システムは、クライアント端末（ユーザ端末）１Ａ、１Ｂ、１Ｃ、および管理サーバ２を含む。また、管理サーバ２は、ファイアーウォール３を介して社内ネットワークと接続し、社内ネットワークは、例えば複数の社内ＰＣ（パーソナルコンピュータ）４Ａ、４Ｂ、および社内サーバ５を含む。
【００２８】
なお、以下複数のクライアント端末１Ａ、１Ｂ、１Ｃを個々に区別する必要がない場合は、クライアント端末１と称す。また、以下社内ＰＣ４Ａ、４Ｂ、社内ＰＣの表示部４０Ａ、４０Ｂを個々に区別する必要がない場合も、社内ＰＣ４、表示部４０と称す。
【００２９】
図１に示すように、ファイアーウォール（ＦＷ）３は、外部との通信を制御し、内部のコンピュータネットワーク（社内ネットワーク）の安全を維持している。社内ネットワークにおいては、社内ＰＣ４により業務データが処理され、社内ＰＣ４または社内サーバ５に業務データが格納される。利用者は、社内ＰＣ４を操作し、任意の業務データを管理サーバ２にアップロードすることができる。なお、本明細書において、業務データとは、電子化された文書、資料、図、画像または動画等を含む。  
【００３０】
一方、クライアント端末１Ａ（スマートフォン）、１Ｂ（タブレット端末）は、例えば３Ｇ公衆網およびＶＰＮサーバを介して管理サーバ２と接続してもよいし、無線ＬＡＮ通信により管理サーバ２と接続してもよい。また、クライアント１Ｃ（ノートＰＣ）は、インターネットを介して管理サーバ２と接続してもよいし、無線ＬＡＮ通信により管理サーバ２と接続してもよい。
【００３１】
このように各クライアント端末１は管理サーバ２に接続し、管理サーバ２に格納されている業務データを取得することができる。これにより、利用者は、外出先でクライアント端末を利用して所望の業務データを閲覧することができる。
【００３２】
なお、クライアント端末１は、端末で閲覧した後の業務データを、閲覧終了のタイミングで端末内から削除してもよい。これにより、本実施形態による業務システムは、情報の流出を防止することができる。
【００３３】
ここで、上述したように、外出先でモバイル端末により業務データを利用する場合、社内ネットワークに外部（モバイル端末）からのアクセスを許可する必要があり、セキュリティ上問題があった。また、モバイル端末の導入に伴って社内ネットワークを再構築しなければならない場合、コストや手間がかかるという問題があった。また、利用者が外出先で業務データを閲覧する場合、必要なデータが格納されているディレクトリを探すために煩雑な操作が必要となり、時間がかかってしまうという問題もあった。
【００３４】
これに対し、本実施形態による業務データ閲覧システムでは、上述したように、管理サーバ２に社内ネットワークから業務データがアップロードされるので、クライアント端末１は、管理サーバ２に接続することで業務データを取得することができる。また、日付情報に基づいて検索された業務データの一覧が提供されるので、利用者は少ない操作で業務データの内容を確認することができる。以下、このような本発明の一実施形態による業務データ閲覧システムに含まれる管理サーバ２およびクライアント端末１の基本構成について順次説明する。
【００３５】
＜２．基本構成＞
［２−１．管理サーバ］
図２は、本実施形態による管理サーバ２の構成を示すブロック図である。図２に示すように、管理サーバ２は、制御部２０、通信部２５、辞書データＤＢ２６、業務データＤＢ２７を有する。
【００３６】
通信部２５は、外部装置と接続してデータを送信または受信する機能を有する。本実施形態による通信部２５は、例えば社内ネットワークに含まれる社内ＰＣ４から、ＦＷ３を介して業務データを受信する。また、通信部２５は、クライアント端末１からの要求に応じて、業務データの一覧および業務データ等をクライアント端末１に送信する。
【００３７】
制御部２０は、管理サーバ２の各構成を制御する。より具体的には、本実施形態による制御部２０は、業務データに日付情報を対応付けて業務データＤＢ２７に格納し、業務データの管理を行う管理部２１、およびクライアント端末１からの要求に応じて業務データＤＢ２７を検索する検索部２２を有する。
【００３８】
管理部２１は、通信部２５を介して社内ネットワークからアップロードされた業務データから、辞書データＤＢ２６に基づいて、日付情報およびキーワード等のタグを抽出する。日付情報については、業務データをアップロードした日時、または業務データが作成された日時を利用して、タグとして複数登録してもよい。ここで、図３を参照して管理部２１によるタグの抽出について説明する。
【００３９】
図３に示すように、辞書データＤＢ２６には日付情報を抽出するためのパターン情報が格納されているので、管理部２１は、当該パターン情報を参照して業務データ１００の付加情報（ファイル名等）や内容から日付情報を抽出することができる。日付のパターンは２０１１年１１月１４日や、２０１１／１１／１４など複数のパターンが登録でき、互いに同じ日として扱える。また、辞書データＤＢ２６には、会社名、商品名等のキーワードも格納されているので、管理部２１は、当該キーワードを参照して業務データ１００の付加情報（ファイル名等）や内容からキーワードを抽出することができる。辞書データＤＢ２６に登録できるキーワードには、異表記が登録でき、例えば、「ＡＢＣ商事」、「エービーシー商事」が同じキーワードであるとして扱うことができる。
【００４０】
管理部２１は、このように抽出したタグを業務データに対応付けて業務データＤＢ２７に格納する。なお、業務データに対応付けられたタグ（日付情報、キーワード）は、検索部２２による検索の際に用いられる。
【００４１】
また、管理部２１は、業務データ中の抽出したタグ部分に、ハイパーリンクを埋め込んでもよい（リンク付け）。ここで、図４を参照して管理部２１によるリンク付けについて説明する。
【００４２】
図４に示すように、業務データ１１０のうち、抽出したタグ部分（例えば、１１／１４、プレミアムフェア、○○、ＸＸ）に、ハイパーリンクを埋め込む（図４に示す業務データ１１２参照）。また、これらのリンク先は、検索部２２による検索結果である業務データの一覧画面としてもよい。すなわち、例えば「○○」のリンク先は、検索部２２がキーワード「○○」に基づいて業務データＤＢ２７を検索し、「○○」が対応付けられた業務データの検索結果（業務データの一覧）である。
【００４３】
また、管理部２１は、ハイパーリンクの埋め込みを、パターン情報に基づいて抽出したＵＲＬ、メールアドレス、住所やスポット名などの位置表現、および電話番号等に対して行ってもよい。この場合のリンク先は、各々の専用アプリケーションにより表示される画面としてもよい。例えばハイパーリンクが埋め込まれたＵＲＬがクリックされると、ブラウザが立ち上がり、当該ＵＲＬにより指定されたＷｅｂページが表示される。また、ハイパーリンクが埋め込まれたメールアドレスがクリックされると、メールアプリケーションが立ち上がり、当該メールアドレス宛のメール作成画面が表示される。
【００４４】
検索部２２は、上述したように、クライアント端末１からの要求に応じて業務データＤＢ２７を検索する。より具体的には、本実施形態による検索部２２は、クライアント端末１から検索要求された日付情報を含む日付情報が対応付けられた業務データを検索する。さらに、検索部２２は、クライアント端末１から検索要求されたキーワードを含むキーワードが対応付けられた業務データを検索してもよい。
【００４５】
辞書データＤＢ２６は、業務データから抽出すべきタグに関する情報を格納している。例えば、辞書データＤＢ２６は、会社名、商品名等のキーワード（固有名詞）や、日付、ＵＲＬ、メールアドレス等を判別するためのパターン情報を格納する。
【００４６】
業務データＤＢ２７は、各利用者からアップロードされた業務データを利用者毎に格納する。例えば、図２に示すように、利用者Ａの複数の業務データ２８Ａ、および利用者Ｂの複数の業務データ２８Ｂを各々格納する。ここで、利用者Ａの複数の業務データ２８Ａの一例を図５に示す。図５に示すように、例えば業務データＤＢ２７では、各業務データのファイル名、上述した管理部２１により抽出された日付情報・キーワード、およびアクセス権限が対応付けて格納されている。
【００４７】
アクセス権限は、まず、業務データのアップロードを行った本人である利用者Ａが設定される。さらに、アクセス権限は、利用者Ａが許可した他の利用者（個人やグループ）に設定されてもよい。図５に示す例では、「○○プレスリリース」および「○○説明会資料」について、「ＢＢプロジェクトグループ」からのアクセスが許可されている。このように、アップロードを行った本人によりアクセス権限が設定されることで、情報漏洩を防止することができる。
【００４８】
［２−２．クライアント端末］
次に、本実施形態によるクライアント端末１の基本構成について説明する。クライアント端末１は、モバイル型の情報処理装置であって、利用者により外出先等で利用される。クライアント端末１は、図１に示したように、例えばスマートフォン、ノートＰＣ、およびタブレット端末等の様々な形態が想定されるが、ここでは、クライアント端末１の複数の形態に共通する主要構成について説明する。
【００４９】
図６は、本実施形態によるクライアント端末の構成を示すブロック図である。図６に示すように、クライアント端末１は、制御部１０、表示制御部１１、表示部１２、操作入力部１３、通信部１４、および記憶部１５を有する。
【００５０】
制御部１０は、クライアント端末１の各構成を制御する。より具体的には、本実施形態による制御部１０は、通信部１４を制御して管理サーバ２に対して業務データ閲覧の要求を行う。また、制御部１０は、操作入力部１３により検出された利用者による操作に応じた制御を行う。
【００５１】
表示制御部１１は、表示部１２を制御し、各種画面を表示させる。より具体的には、本実施形態による表示制御部１１は、管理サーバ２から受信した業務データ一覧を表示部１２に表示させる。また、表示制御部１１は、操作入力部１３により検出された利用者による操作に応じて表示画面を制御する。
【００５２】
表示部１２は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）またはＣＲＴ（Ｃａｔｈｏｄｅ  Ｒａｙ  Ｔｕｂｅ）などにより実現される。
【００５３】
操作入力部１３は、利用者による操作を検出するためのデバイスであって、例えば、タッチパネル、ボタン、スイッチ、キーボードおよびマウス等により実現される。
【００５４】
記憶部１５は、各構成が処理を実行するための各種プログラムが記憶されている。また、記憶部１５は、ＲＯＭ、ＲＡＭおよびＨＤＤ等により実現される。
【００５５】
以上、本実施形態による管理サーバ２およびクライアント端末１の構成について詳細に説明した。続いて、本実施形態による動作処理について具体的に説明する。
【００５６】
＜３．動作処理＞
図７は、本実施形態による動作処理を示すフローチャートである。図７に示すように、まず、ステップＳ１０３において、社内ＰＣ４は、利用者による業務データのアップロード操作を受け付ける。ここで、図８を参照して本実施形態によるアップロード操作の一例について説明するが、本実施対によるアップロード操作はこれに限定されない。
【００５７】
図８は、社内ＰＣ４の表示部４０に表示される操作画面の一例を示す図である。図８に示すウィンドウ４１０は、社内ネットワーク内に格納されている業務データのフォルダである。また、図８に示すウィンドウ４２０は、管理サーバ２内の利用者のフォルダである。
【００５８】
利用者は、任意の業務データをウィンドウ４１０から選択し、ドラッグ＆ドロップによりウィンドウ４２０にコピーすることでアップロード操作を直感的に行うことができる。
【００５９】
次いで、ステップＳ１０６において、社内ＰＣ４は、業務データを管理サーバ２に送信する（業務データのアップロード）。
【００６０】
次に、ステップＳ１０９において、管理サーバ２の管理部２１は、辞書データＤＢ２６を参照して社内ＰＣ４から送信された業務データからタグを抽出し、業務データに対応付ける（図３参照）。上述したように、業務データに対応付けられたタグは検索部２２による検索の際に用いられる。なお、本実施形態では、このように管理部２１が抽出して業務データに対応付けたタグを利用者が確認できるようにしてもよい。抽出されたタグの確認方法の一例について、以下図９を参照して説明する。
【００６１】
図９は、業務データから抽出されたタグの確認を行う場合について説明するための図である。図９に示すように、社内ＰＣ４の表示部４０に表示されるウィンドウ４２０で表示される業務データ（管理サーバ２に格納されている業務データ）に対応するタグ一覧４２５が表示されることで、利用者は業務データから抽出されたタグを確認することができる。
【００６２】
なお、手動ボタン４２７をクリックすると、図９に示すように手動入力フォーム４２８が表示され、入力欄４２９にタグを入力すると、管理サーバ２の管理部２１により当該タグが業務データに対応付けられる。これにより、例えば、業務データが画像データまたは音声データ等であるためにキーワードが抽出されなかった場合や、新たなタグを追加したい場合等に、利用者は手動で任意のタグを入力することができる。
【００６３】
次いで、ステップＳ１１２において、管理サーバ２の管理部２１は、業務データ内の所定のテキスト（キーワード、日付、ＵＲＬおよびメールアドレス等）にリンク付けを行う（図４参照）。
【００６４】
次に、ステップＳ１１５において、管理サーバ２の管理部２１は、リンク付けを行った業務データを抽出したタグに対応付けて業務データＤＢ２７に格納する。
【００６５】
次いで、ステップＳ１１８において、クライアント端末１は、本実施形態による業務データ閲覧システムを利用するためのアプリケーションを起動し、管理サーバ２と接続し、管理サーバ２に対して業務データ閲覧の要求を行う。
【００６６】
次に、ステップＳ１２１において、管理サーバ２の検索部２２は、クライアント端末１からの要求に応じて業務データＤＢ２７を検索する。より具体的には、本実施形態による検索部２２は、現在の日付を含む日付情報が対応付けられている業務データを検索する。
【００６７】
続いて、ステップＳ１２４において、管理サーバ２は、現在の日付に基づいて検索した業務データの一覧を要求元のクライアント端末１に送信する。
【００６８】
そして、ステップＳ１２７において、クライアント端末１の表示制御部１１は、管理サーバ２から受信した業務データの一覧を表示するよう制御する。これにより、利用者は、現在の日付に関連する業務データの一覧、すなわち当日の業務に関連する業務データの一覧を確認することができる。このような業務データの一覧について、以下図１０を参照して具体的に説明する。
【００６９】
図１０は、本実施形態によるクライアント端末１において表示される業務データの一覧の表示例を示す図である。図１０に示すように、クライアント端末１（ここでは、スマートフォン）の表示部１２に、業務データの一覧を含む表示画面１２０が表示される。
【００７０】
図１０に示すように、表示画面１２０は、検索条件の入力欄１２２、検索ボタン１２３、および業務データの一覧１２４を含む。検索条件の入力欄１２２には、管理サーバ２の検索部２２が検索条件として用いた現在の日付が表示される。なお、検索条件の入力欄１２２に利用者により任意の日付やキーワード等が入力され、検索ボタン１２３がタップされた場合、クライアント端末１は、入力された検索条件に基づく業務データの検索を管理サーバ２に要求してもよい。
【００７１】
以上、本実施形態による動作処理について詳細に説明した。続いて、本実施形態による操作例について具体的に説明する。
【００７２】
＜４．操作例＞
上述したように、クライアント端末１では、当日の業務に関連する業務データの一覧が表示されるので、利用者は、利用する業務データをタップしてその内容を閲覧することができる。以下、図１１および図１２を参照して具体的に説明する。
【００７３】
[４−１．業務データの展開]
図１１は、本実施形態による操作例を説明するための図である。図１１の表示画面１２０に表示された業務データの一覧のうち、「今日（１１／１４）の予定」の項目１２５がタップされると、表示画面１３０に示すように、「今日（１１／１４）の予定」のデータが展開される。また、図１１の表示画面１２０に表示された業務データの一覧のうち、「○○説明会資料」の項目１２７がタップされると、表示画面１４０に示すように、「○○説明会資料」のデータが展開される。このように、本実施形態による業務データ閲覧システムでは、利用者は、当日の業務に関連するデータを１タップで閲覧することができる。
【００７４】
また、図１１の表示画面１３０に示すように、タップして展開された業務データのうち、ハイパーリンクが埋め込まれている部分には下線が引かれている。クライアント端末１は、利用者によりハイパーリンクが埋め込まれている部分がタップされると、リンク先の画面を表示するよう制御する。
【００７５】
具体的には、例えば業務データに対応付けられたタグ部分に埋め込まれたハイパーリンクがタップされた場合、クライアント端末１は、図１１に示すように、当該タグを検索条件として管理サーバ２により検索された業務データの一覧を示す表示画面１５０を表示する。
【００７６】
また、電話番号、ＵＲＬ、およびメールアドレス等の所定パターン部分に埋め込まれたハイパーリンクがタップされた場合、クライアント端末１は、専用アプリケーションを起動し、所定の画面を表示するよう制御する。
例えば、図１１に示すように、表示画面１３０に展開される表示画面１３０のうち電話番号部分に埋め込まれたハイパーリンクがタップされた場合、クライアント端末１は、電話アプリケーションを起動し、当該電話番号宛の発信画面１６０を表示する。
【００７７】
[４−２．日付条件の変更操作]
次に、日付条件の変更操作について説明する。図１０を参照して上述したように、検索条件の入力欄１２２に任意の日付を入力し、検索ボタン１２３をタップした場合、任意の日付に基づく、すなわち任意の日付の業務に関連するデータの一覧が表示されるが、本実施形態による日付条件の変更操作はこれに限定されない。以下、図１２を参照して日付条件の変更操作の一例について説明する。
【００７８】
図１２は、フリック操作による日付条件の変更操作の一例を説明するための図である。図１２に示すように、表示画面１２０では、現在の日付に基づいた業務データの一覧が表示されている。この場合に、利用者が表示画面１２０を払うフリック操作を行うと、図１２に示すように、クライアント端末１は検出したフリック操作の方向に応じて表示画面をスライド移動させ、スライドアウトさせる。また、同時に、クライアント端末１は、図１２に示すように、フリック操作の方向に応じて翌日または前日の業務データの一覧画面１８０をスライド移動によりスライドインさせる。なお、クライアント端末１は、翌日または前日の業務データの一覧を予め管理サーバ２から取得しておいてもよい。
【００７９】
＜５．まとめ＞
以上説明したように、本実施形態による業務データ閲覧システムによれば、クライアント端末（ユーザ端末）からの要求に応じて業務データを検索し、当日の業務に関連する業務データをユーザに提供することができる。
【００８０】
また、利用者は、クライアント端末に表示された当日の業務に関連する業務データの一覧をタップする等の最小限の操作で、業務データの内容を確認することができる。
【００８１】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８２】
例えば、上述したように、管理サーバ２に格納される業務データには、本人の他、所定のグループ単位でアクセス権限が設定されている場合がある（図５参照）。よって、管理サーバ２は、ユーザの業務データに加えて、ユーザのアクセスが許可されている他ユーザの業務データからも検索を行うことが可能である。このように検索した場合、検索結果として管理サーバ２がクライアント端末１に送信する業務データ一覧には、ユーザの業務データの他、ユーザのアクセスが許可された他ユーザの業務データも含まれる。
【００８３】
そこで、本実施形態による業務データ閲覧システムでは、クライアント端末１において業務データ一覧が表示される場合に、管理サーバ２に格納されている本人の業務データであるのか、または他ユーザの業務データであるのかを明示してもよい。例えば、クライアント端末１は、図１３に示すように、表示画面１７０に含まれる業務データ一覧の各々に、各業務データに設定されているアクセス権限を明示するアイコンを対応付けて表示してもよい。図１３に示す例では、本人の業務データであることを示すアイコン１７４、および他ユーザの業務データであって、本人を含むグループにアクセス権限が設定された業務データであることを示すアイコン１７５が表示されている。
【００８４】
なお、クライアント端末１は、アイコンの他、色分けやハイライト表示によって、本人の業務データであるのか、または他ユーザの業務データであるのかを明示してもよい。
【００８５】
また、上述した実施形態では、現在の日付に基づいて検索することで当日の業務に関連する業務データの一覧を提示しているが、本実施形態による検索はこれに限定されない。例えば、管理サーバ２の検索部２２は、現在の日付に加えて、ユーザのスケジュール情報から抽出したキーワードに基づき、当日の業務に関連する業務データを検索してもよい。
【００８６】
また、管理サーバ２の検索部２２は、現在の日付に加えて、クライアント端末の位置情報に基づき、現在ユーザが居る場所で行われる業務に関連する業務データを検索してもよい。
【符号の説明】
【００８７】
１、１Ａ、１Ｂ、１Ｃ    クライアント端末
１０    制御部
１１    表示制御部
１２    表示部
１３    操作入力部
１４    通信部
１５    記憶部
２    管理サーバ
２０    制御部
２１    管理部
２２    検索部
２５    通信部
２６    辞書データＤＢ（データベース）
２７    業務データＤＢ（データベース）
２８Ａ  業務データ
２８Ｂ  業務データ
３    ファイアーウォール（ＦＷ）
４    社内ＰＣ（パーソナルコンピュータ）
４０    表示部
５    社内サーバ
１００、１１０    業務データ
１２０、１３０、１４０、１５０、１７０    表示画面
１６０    発信画面
【図１】
2013200742.tif 000003
【図２】
2013200742.tif 000004
【図３】
2013200742.tif 000005
【図４】
2013200742.tif 000006
【図５】
2013200742.tif 000007
【図６】
2013200742.tif 000008
【図７】
2013200742.tif 000009
【図８】
2013200742.tif 000010
【図９】
2013200742.tif 000011
【図１０】
2013200742.tif 000012
【図１１】
2013200742.tif 000013
【図１２】
2013200742.tif 000014
【図１３】
2013200742.tif 000015